(57)【要約】【課題】  潤滑油がフォトインタラプタの素子壁面に付着するのを防止でき、パルス板への付着を最小限に止めることが可能な防護手段を、簡単な組み立て作業により、部品点数を増加させることなく、スペースを有効利用できる態様で、しかも、モータに余計な負担を掛けることなく設けることが可能なレンズ駆動機構を提供する。【解決手段】  レンズ駆動用モータの出力軸とウォームとパルス板とフォトインタラプタとを収容する中空のケースを備え、この中空ケースは、互いに着脱可能な第１のケース部材と第２のケース部材とからなり、上記第１のケース部材は、上記フォトインタラプタの挿入孔を有していて、該挿入孔から挿入した上記フォトインタラプタの素子壁面が上記パルス板と対向し、上記第１、第２のケース部材には、上記フォトインタラプタの上記ウォームとの対向面と共に上記出力軸の小径連結部を囲んで、上記ウォームが存在するウォーム空間と、上記素子壁面及び上記パルス板が存在するフォトインタラプタ・パルス板空間とを分離する空間分離壁が形成されていることを特徴とするレンズ駆動機構。【選択図】  図３
2006064770.tif 000002
【特許請求の範囲】
【請求項１】
レンズ駆動用モータと、
このレンズ駆動用モータの出力軸に、小径連結部を挟んで固定した、共に該小径連結部より大径である、移動レンズ群を駆動するためギヤ機構と噛み合うウォーム及びパルス板と、
該パルス板と協働して上記出力軸の回転に伴い、上記移動レンズ群の移動位置を管理するためのパルスを発生するフォトインタラプタと、
上記出力軸と上記ウォームと上記パルス板と上記フォトインタラプタとを収容する中空のケースと、
を備え、
上記中空ケースは、互いに着脱可能な第１のケース部材と第２のケース部材とからなり、
上記第１のケース部材は、上記フォトインタラプタの挿入孔を有していて、該挿入孔から挿入した上記フォトインタラプタの素子壁面が上記パルス板と対向し、
上記第１、第２のケース部材には、上記フォトインタラプタの上記ウォームとの対向面と共に上記出力軸の小径連結部を囲んで、上記ウォームが存在するウォーム空間と、上記素子壁面及び上記パルス板が存在するフォトインタラプタ・パルス板空間とを分離する空間分離壁が形成されていることを特徴とするレンズ駆動機構。
【請求項２】
請求項１記載のレンズ駆動機構において、
上記フォトインタラプタは断面コ字状をなしていて、発光素子を有する壁面と受光素子を有する壁面を有し、この一対の素子壁面の間に上記パルス板が位置するレンズ駆動機構。
【請求項３】
請求項１または２記載のレンズ駆動機構において、
上記ウォームと上記パルス板と上記小径連結部とを一体的に成形したレンズ駆動機構。
【請求項４】
請求項１から３のいずれか１項記載のレンズ駆動機構において、
上記防護壁に切欠凹部を形成し、該切欠凹部に上記フォトインタラプタの一部を嵌合したレンズ駆動機構。
【請求項５】
請求項１から４のいずれか１項記載のレンズ駆動機構において、
上記パルス板が上記出力軸の根元側に位置し、上記ウォームが上記出力軸の先端側に位置するレンズ駆動機構。
【発明の詳細な説明】
【技術分野】
【０００１】
本発明は、レンズ鏡筒内の移動レンズを駆動するためのレンズ駆動機構に関する。
【背景技術】
【０００２】
カメラのレンズ鏡筒内に配設されたズームレンズ等の移動レンズを駆動するためのレンズ駆動機構の従来技術としては、例えば特許文献１に記載されたものがある。
この特許文献１の発明では、ズーム用モータの出力軸にウォームを固着し、このウォームに、回転軸の方向が該ウォームに対して直交するウォームホイールを噛合させて、ズーム用モータの駆動方向を変換している。そして、このウォームホイールをギヤ列を介して、レンズ鏡筒内に設けたズームレンズの駆動ギヤに連係させることにより、ズームレンズをズーム用モータの駆動力によって光軸方向に移動させている。
【０００３】
さらに、上記ズーム用モータの出力軸には、３つの透光孔が穿設された、出力軸に対して直交するパルス板が固着されており、このパルス板の一部を断面形状が略コ字形をなすフォトインタラプタの凹部内に位置させている。このフォトインタラプタの凹部には、パルス板を挟んで対向する発光素子を備える壁面と受光素子を備える壁面とが設けられている。ズーム用モータが回転してパルス板が回転すると、パルス板の透光孔が発光素子と受光素子の間に位置したときに発光素子から出た光が透光孔を通って受光素子によって受光され、透光孔以外の部分が発光素子と受光素子の間に位置するときは、発光素子から出た光がパルス板によって遮られ受光素子は受光できなくなる。そして、カメラに内蔵されたＣＰＵ（演算手段）が、受光素子の受光回数に基づいて、ズームレンズの光軸方向の移動量を演算（検出）する。
【０００４】
このように特許文献１の発明はフォトインタラプタを利用してズームレンズの移動量を検出するものであるが、ウォームに塗布してある潤滑油が周囲に飛散して、フォトインタラプタの発光素子や受光素子に付着すると、ズームレンズの移動量を正確に検出できなくなるおそれがある。また、潤滑油がパルス板の透光孔の縁に付着すると、ズームレンズの移動量の検出精度が低下するとともに、パルス板の重量が増加するため、ズーム用モータに掛かる負荷が増大してしまう。
【０００５】
そこで特許文献１の発明では、上記出力軸に、パルス板及びフォトインタラプタが位置するフォトインタラプタ・パルス板空間とウォームが位置するウォーム空間の間に位置する円盤状の鍔を固着し、さらに、カメラ本体に、フォトインタラプタ・パルス板空間とウォーム空間の間に位置するＵ字形のリブを設けている。そして、この鍔とリブとによって、ウォームから飛散した潤滑油が、発光素子や受光素子やパルス板に付着するのを防止している。
【特許文献１】特開２００２−４０３１４号公報
【発明の開示】
【発明が解決しようとする課題】
【０００６】
しかし、特許文献１の発明では、潤滑油がフォトインタラプタの発光素子と受光素子に付着するのを防止するために上記鍔を設けているので、部品点数が多くなってしまう。
さらに、この鍔は出力軸とは別部品であるため、組み立てを行う者が鍔を出力軸に取り付けるのを忘れたり、取付位置を間違えてしまうおそれがある。
また、上記鍔とＵ字形のリブはズーム用モータの出力軸方向に並べて設けられており、両者の間には隙間が生じているので、カメラ本体内のスペースを有効利用しているとは言い難かった。
さらに、ズーム用モータの出力軸に鍔を固着しているので、鍔の重量分だけズーム用モータに掛かる負荷が大きくなってしまうという問題もある。
【０００７】
なお、ウォームから飛散した潤滑油が、フォトインタラプタの発光素子や受光素子やパルス板に付着するのを防止するために、上記各部材とは別部材のオイルフェンスを設けたものが従来より知られている。しかし、このような構造としても、部品点数の増加、組み立て作業における組み立て忘れ、及び、コスト増大という問題が生じてしまう。
【０００８】
本発明の目的は、潤滑油がフォトインタラプタの素子壁面に付着するのを防止でき、パルス板への付着を最小限に止めることが可能な防護手段を、簡単な組み立て作業により、部品点数を増加させることなく、スペースを有効利用できる態様で、しかも、モータに余計な負担を掛けることなく設けることが可能なレンズ駆動機構を提供することにある。
【課題を解決するための手段】
【０００９】
本発明のレンズ駆動機構は、レンズ駆動用モータと、このレンズ駆動用モータの出力軸に、小径連結部を挟んで固定した、共に該小径連結部より大径である、移動レンズ群を駆動するためギヤ機構と噛み合うウォーム及びパルス板と、該パルス板と協働して上記出力軸の回転に伴い、上記移動レンズ群の移動位置を管理するためのパルスを発生するフォトインタラプタ、上記出力軸と上記ウォームと上記パルス板と上記フォトインタラプタとを収容する中空のケースと、を備え、上記中空ケースは、互いに着脱可能な第１のケース部材と第２のケース部材とからなり、上記第１のケース部材は、上記フォトインタラプタの挿入孔を有していて、該挿入孔から挿入した上記フォトインタラプタの素子壁面が上記パルス板と対向し、上記第１、第２のケース部材には、上記フォトインタラプタの上記ウォームとの対向面と共に上記出力軸の小径連結部を囲んで、上記ウォームが存在するウォーム空間と、上記素子壁面及び上記パルス板が存在するフォトインタラプタ・パルス板空間とを分離する空間分離壁が形成されていることを特徴としている。
【００１０】
上記フォトインタラプタは、断面コ字状をなし、発光素子を有する壁面と受光素子を有する壁面を有するものとすることが可能であり、この場合は、この一対の素子壁面の間に上記パルス板を位置させるのが実際的である。
【００１１】
上記ウォームと上記パルス板と上記小径連結部とを一体的に成形すれば、ウォームとパルス板の上記出力軸への着脱を１回で行えるようになる。
【００１２】
一方の上記防護壁に切欠凹部を形成し、該切欠凹部に上記フォトインタラプタの一部を嵌合すれば、ケース内部のスペースを有効利用できる。
【００１３】
上記パルス板が上記出力軸の根元側に位置し、上記ウォームが上記出力軸の先端側に位置するように、上記回転体を上記出力軸に取り付けてもよい。
【発明の効果】
【００１４】
本発明によると、フォトインタラプタや、レンズ駆動機構の必須構成部材であるケースの一部を利用して、潤滑油がフォトインタラプタの素子壁面に付着するのを防止する手段を構成しているので、組み立て作業が簡単であり、部品点数が増加することもない。さらに、スペースを有効利用でき、かつ、モータに余計な負担を掛けることもない。
【発明を実施するための最良の形態】
【００１５】
以下、添付図面に基づいて、本発明の一実施形態を説明する。
図示を省略したカメラボディ内には、図１に示すレンズ駆動機構１が配設されており、このレンズ駆動機構１はレンズ鏡筒（図示略）内に配設されたズームレンズ（移動レンズ群）の駆動ギヤ列（ギヤ機構）と連係している。
まず、レンズ駆動機構１を構成する各部品と、レンズ駆動機構１の組み立て要領について詳しく説明する。
【００１６】
第１のケース部材１０は、その内面に互いに平行な５本の支持軸１１を備えており、支持軸１１と平行なモータ取付用壁１２と、このモータ取付用壁１２と直交するフォトインタラプタ取付用壁１３の角部には、フォトインタラプタ５０が嵌合する挿入孔１４が穿設されている。モータ取付用壁１２には出力軸挿入孔１５が穿設されており、モータ取付用壁１２とフォトインタラプタ取付用壁１３には２つの取付孔１６と雌ねじ孔１７がそれぞれ穿設されている。さらに、第１のケース部材１０には２つの雌ねじ孔１８、１９が穿設されている。フォトインタラプタ取付用壁１３の内面には略直方体形状の突部（空間分離壁）２０が突設されており、この突部２０には雌ねじ孔２１と、回転軸ＲＡを支持するための支持孔２２が設けられている。また、第１のケース部材１０の底部には開口２３が設けられている。
【００１７】
第２のケース部材３０は第１のケース部材１０に組み付けられることにより中空のケースＣを構成するものであり、その支持壁３１には、支持軸１１に対応する５つの支持孔３２が穿設されている。第２のケース部材３０は、支持壁３１と直交し、第２のケース部材３０の強度補強用リブとして機能する防護壁（空間分離壁）３３を備えており、防護壁３３には切欠凹部３４が形成されている。図８に示すように、防護壁３３と、この防護壁３３と対向する側壁３５の間には、後述する回転体６０のウォーム６１を収容可能な収容空間３６が形成されており、側壁３５の防護壁３３との対向面にはウォーム６１の支持軸６８を回転自在に支持可能な軸受用凹部３７が凹設されている。さらに第２のケース部材３０には、第１のケース部材１０の雌ねじ孔１８と雌ねじ孔１９と雌ねじ孔２１にそれぞれ対応する貫通孔３８、３９、４０が穿設されており、第２のケース部材３０の内面には支持孔２２に対応する支持孔４１が凹設されている（図８参照）。
【００１８】
第１のケース部材１０の出力軸挿入孔１５には、第１のケース部材１０の外側に位置するズーム用モータ（レンズ駆動用モータ）Ｍの出力軸Ｍ１が挿入されており、両取付孔１６に挿入されたボルトＢ１によって、ズーム用モータＭがモータ取付用壁１２に固定される。また、第１のケース部材１０の各支持軸１１にはウォームホイールＷＷ１、ウォームホイールＷＷ２、ウォームホイールＷＷ３、ウォームホイールＷＷ４、ウォームホイールＷＷ５の各軸孔がそれぞれ回転可能に支持され、隣り合うウォームホイールＷＷ１、ＷＷ２、ＷＷ３、ＷＷ４、ＷＷ５同士が噛合する。ウォームホイールＷＷ１は、第１のケース部材１０の開口２３からケースＣの外部に露出する。
さらに、第１のケース部材１０の支持孔２２に回転軸ＲＡの一端を嵌合固定し、この回転軸ＲＡにウォームホイールＷＷ５と噛合するウォームホイールＷＷ６の軸孔を回転可能に支持する。これらウォームホイールＷＷ１〜ＷＷ６はギヤ機構の構成要素である。
【００１９】
図９〜図１１に詳しく示す回転体６０は樹脂からなる一体物であり、略円柱形状のウォーム６１と、３枚の羽根６２を具備し、隣り合う羽根６２の間に透光用凹部６３が形成されウォーム６１と同心をなすパルス板６４と、ウォーム６１とパルス板６４を連結するウォーム６１（及びパルス板６４）より小径連結部６５とを具備している。ウォーム６１とパルス板６４と小径連結部６５の中心軸に沿って軸孔６６が貫通孔として穿設されており、小径連結部６５の外周側にはウォーム６１とパルス板６４とに挟まれた環状凹部６７が形成されている。さらに、軸孔６６の一方の端部には、支持軸６８に設けられた固定部６９が嵌合固定されている。
【００２０】
この回転体６０の軸孔６６は、第１のケース部材１０に固定されたズーム用モータＭの出力軸Ｍ１に、そのパルス板６４がモータ取付用壁１２側に位置する態様で嵌合固定される。このように、回転体６０を第１のケース部材１０に取り付けると、ウォーム６１の軸線は、各ウォームホイールＷＷ１〜ＷＷ６の軸線に対して直交し、ウォーム６１がウォームホイールＷＷ６と噛合する。
【００２１】
次いで、第２のケース部材３０を図１の一点鎖線方向に移動させて、第１のケース部材１０に組み付けると、各支持軸１１が第２のケース部材３０の各支持孔３２に嵌合し、かつ回転軸ＲＡが支持孔４１に嵌合する。さらに、回転体６０の小径連結部６５が切欠凹部３４に嵌合し、パルス板６４が防護壁３３とモータ取付用壁１２の間に位置し、かつ、ウォーム６１が収容空間３６内に位置し、支持軸６８が軸受用凹部３７に回転可能に支持される。
【００２２】
さらに、第１のケース部材１０に断面形状が略コ字形をなすフォトインタラプタ５０を取り付ける。このフォトインタラプタ５０は、発光部５２と受光部５３を具備しており、発光部５２の受光部５３との対応面は発光素子（図示略）を備える素子壁面（壁面）５４となっており、受光部５３の発光部５２との対向面は受光素子（図示略）を備える素子壁面（壁面）５５となっている。そして、フォトインタラプタ５０を、ケースＣの外側から第１のケース部材１０の挿入孔１４に嵌合し、その発光部５２を、突部２０と切欠凹部３４によって構成された孔に嵌合し（図３及図６参照）、フォトインタラプタ５０に固定された取付板５１を貫通するボルトＢ２を雌ねじ孔１７に螺合して固定する。このようにフォトインタラプタ５０を第１のケース部材１０に取り付けると、図１５に示すように、平面視において、素子壁面５４と防護壁３３のモータ取付用壁１２側の面と突部２０のモータ取付用壁１２側の面が連続する。さらに、発光部５２と受光部５３の間の隙間にパルス板６４の一部が嵌入し、発光部５２と受光部５３が防護壁３３（切欠凹部３４）を挟んで対向する。
【００２３】
最後に、第２のケース部材３０の貫通孔３８と貫通孔３９と貫通孔４０にそれぞれボルトＢ３を挿入し、各ボルトＢ３を第１のケース部材１０の雌ねじ孔１８と雌ねじ孔１９と雌ねじ孔２１に螺合して、第１のケース部材１０と第２のケース部材３０を固定すれば、レンズ駆動機構１が完成する。
そして、このような構成からなるレンズ駆動機構１をカメラボディ内にボルト（図示略）により固定すると、ウォームホイールＷＷ１がレンズ鏡筒内の上記駆動ギヤ列（ギヤ機構）と噛合する。
【００２４】
以上の構成からなる本レンズ駆動機構１は、次のように作動する。
カメラボディに内蔵されたＣＰＵ（制御手段）からズーム用モータＭに回転信号が送られるとズーム用モータＭの出力軸Ｍ１が回転し、出力軸Ｍ１と一体となっている回転体６０が出力軸Ｍ１回りに回転する。すると、回転体６０の一部をなすウォーム６１と噛合しているウォームホイールＷＷ６が回転し、これに伴い各ウォームホイールＷＷ１〜ＷＷ５が回転し、ウォームホイールＷＷ１と噛合しているレンズ鏡筒内の上記駆動ギヤ列（ギヤ機構）が回転し、ズームレンズ（移動レンズ）が光軸に沿って進退する。
また、上記のように回転体６０が回転すると、回転体６０の一部をなすパルス板６４が回転し、その羽根６２と透光用凹部６３がフォトインタラプタ５０の素子壁面５４と素子壁面５５の間を回転しながら通過する。フォトインタラプタ５０の素子壁面５４の発光素子からは素子壁面５５に向けて光が出されており、この光は、素子壁面５４と素子壁面５５の間に羽根６２が位置しているときは羽根６２によって遮られるため、素子壁面５５の受光素子には届かず（受光素子は受光できず）、透光用凹部６３が素子壁面５４と素子壁面５５の間に位置したときは素子壁面５５の受光素子によって受光される。そして、素子壁面５５の受光素子が受光した回数を、フォトインタラプタ５０に電気的に接続された上記ＣＰＵが認識すると、ＣＰＵは、この受光回数に基づいてズーム用モータＭの回転回数を演算（検出）し、さらに、上記移動レンズの光軸方向への移動量を演算（検出）する。
【００２５】
さらに、発光部５２のウォーム６１との対向面（図６に斜線を付した部分）Ａと、防護壁３３の側壁３５側の面と、突部２０が連続しており、この３つの部材（面）によって構成される空間分離壁（防護手段）が、この空間分離壁Ａ、２０、３３を挟んでウォーム６１側にあるウォーム空間ＷＳ（図１５参照）と、空間分離壁Ａ、２０、３３を挟んで素子壁面５４、素子壁面５５、及びパルス板６４側にあるフォトインタラプタ・パルス板空間ＰＳ（同じく図１５参照）とを分離している。このため、ウォーム６１の表面に塗られている潤滑油（図示略）は、出力軸Ｍ１が回転すると周囲に飛散するが、この空間分離壁Ａ、２０、３３によって、飛散した潤滑油の素子壁面５４や素子壁面５５への付着が防止される。さらに、図３に示すように、ウォーム６１側から見ると、防護壁３３、フォトインタラプタ５０、及び突部２０によって羽根６２が隠されるので（羽根６２が防護壁３３、フォトインタラプタ５０、及び突部２０の背後に位置するので）、ウォーム６１から飛散した潤滑油の羽根６２への付着が完全に防止される。
【００２６】
以上説明したように本実施形態では、第１のケース部材１０と第２のケース部材３０とフォトインタラプタ５０を互いに組み付けるだけで、これらの部材の一部をなす防護面Ａ、突部２０、及び防護壁３３によって、互いに連続する空間分離壁（防護手段）を簡単かつ確実に構成できる。そして、フォトインタラプタ５０、第１のケース部材１０、及び第２のケース部材３０の一部を上記空間分離壁Ａ、２０、３３の構成要素として有効利用しているので、部品点数の増加を招くことなく空間分離壁Ａ、２０、３３を構成できる。
【００２７】
また、防護面Ａと防護壁３３と突部２０はいずれも、特許文献１の鍔のような出力軸Ｍ１に固着される部材ではないので、これら空間分離壁Ａ、２０、３３によってズーム用モータＭに掛かる負荷が大きくなることはない。
さらに、ウォーム６１とパルス板６４の間の狭い空間（環状凹部６７）に、防護壁３３の一部を嵌合させ、かつ、防護壁３３に形成した切欠凹部３４にフォトインタラプタ５０を嵌合しているので、ケースＣ内のスペースの有効利用が図られている。
また、回転体６０にパルス板６４とウォーム６１が一体的に設けられているので、パルス板６４とウォーム６１の出力軸Ｍ１への取り付けを１回で行えるので、組み立てが簡単である。
【００２８】
なお、本発明は本実施形態に限定されるものではなく、様々な変形を施しながら実施可能である。例えば、フォトインタラプタ５０を挿入孔１４に嵌合固定する際に、発光部５２をモータ取付用壁１２側に位置させ受光部５３をウォーム６１側に位置させて、受光部５３のウォーム６１との対向面に上記対向面Ａと同様の機能を持たせるようにしてもよい。また、レンズ駆動機構１によって、レンズ鏡筒内に設けられたズームレンズ以外の移動レンズ（例えば、フォーカスレンズ）を移動させてもよい。さらに、フォトインタラプタ５０を、一つの素子壁面に発光素子と受光素子を備え、発光素子から出た光がパルス板６４の羽根６２で反射されると受光素子が受光し、発光素子から出た光が透光用凹部６３を透過すると受光素子が受光できない、いわゆる反射型のフォトインタラプタとすることが可能である。また、突部２０に防護壁３３と同様の切欠凹部を形成して、この切欠凹部にフォトインタラプタ５０の一部を嵌合してもよい。
【図面の簡単な説明】
【００２９】
【図１】本発明の一実施形態であるレンズ駆動機構の分解斜視図である。
【図２】第１のケース部材と第２のケース部材を組み付けた状態を示す斜視図である。
【図３】図２のIII−III矢線に沿う断面図である。
【図４】第１のケース部材の正面図である。
【図５】第１のケース部材の背面図である。
【図６】第１のケース部材の斜視図である。
【図７】第２のケース部材の正面図である。
【図８】第２のケース部材の背面図である。
【図９】回転体の斜視図である。
【図１０】回転体を図９のＸ矢線方向から見た側面図である。
【図１１】回転体の正面図である。
【図１２】固定された第１のケース部材と、フォトインタラプタ及び回転体の位置関係を示すための斜視図である。
【図１３】第２のケース部材と、フォトインタラプタの位置関係を示すための斜視図である。
【図１４】第２のケース部材と、回転体（パルス板）及びフォトインタラプタの位置関係を示すための斜視図である。
【図１５】図２のXV−XV線に沿う断面図である。
【符号の説明】
【００３０】
１      レンズ駆動機構
１０    第１のケース部材
１１    支持軸
１２    モータ取付用壁
１３    フォトインタラプタ取付用壁
１４    挿入孔
１５    出力軸挿入孔
１６    取付孔
１７  １８  １９  雌ねじ孔
２０    突部（空間分離壁）（防護手段）
２１    雌ねじ孔
２２    支持孔
２３    開口
３０    第２のケース部材
３１    支持壁
３２    支持孔
３３    防護壁（空間分離壁）（防護手段）
３４    切欠凹部
３５    側壁
３６    収容空間
３７    軸受用凹部
３８  ３９  ４０  貫通孔
４１    支持孔
５０    フォトインタラプタ（空間分離壁）（防護手段）
５１    取付板
５２    発光部
５３    受光部
５４    素子壁面
５５    素子壁面
６０    回転体
６１    ウォーム
６２    羽根
６３    透光用凹部
６４    パルス板
６５    小径連結部
６６    軸孔
６７    環状凹部
６８    支持軸
６９    固定部
Ｂ１  Ｂ２  Ｂ３  ボルト
Ｃ      ケース
Ｌ      フォーカスレンズ（移動レンズ群）
Ｍ      ズーム用モータ（レンズ駆動用モータ）
Ｍ１    出力軸
ＰＳ    フォトインタラプタ・パルス板空間
ＲＡ    回転軸
ＷＳ    ウォーム空間
ＷＷ１  ＷＷ２  ＷＷ３  ＷＷ４  ＷＷ５  ＷＷ６  ウォームホイール
【図１】
2006064770.tif 000003
【図２】
2006064770.tif 000004
【図３】
2006064770.tif 000005
【図４】
2006064770.tif 000006
【図５】
2006064770.tif 000007
【図６】
2006064770.tif 000008
【図７】
2006064770.tif 000009
【図８】
2006064770.tif 000010
【図９】
2006064770.tif 000011
【図１０】
2006064770.tif 000012
【図１１】
2006064770.tif 000013
【図１２】
2006064770.tif 000014
【図１３】
2006064770.tif 000015
【図１４】
2006064770.tif 000016
【図１５】
2006064770.tif 000017